(57)【要約】【課題】医療用ペーストを押し出す際にシリンダの張出部が破損することを抑制する。【解決手段】医療用ペースト注入装置用補強部材７は、板状部６０と、回転規制部６２とを備える。板状部６０は、長手状且つ板状に構成され、自身を板厚方向に貫通する孔部６６に医療用ペースト注入装置１の筒部１４が挿し通されるとともに、自身の少なくとも一部が先後方向において張出部１８と規制部４６との間に挟まれて配置される。回転規制部６２は、孔部６６に医療用ペースト注入装置１の筒部１４が挿し通された状態において、板状部６０が張出部１８に対して軸線ＡＸ周りに回転することを規制する。【選択図】図１
2020182634.tif 000002
【特許請求の範囲】
【請求項１】
軸線に沿って延びる筒部と、前記筒部における後端側の外周部から外側に向けて張り出した張出部と、を有し、前記筒部内に医療用ペーストが入れられるシリンダと、
前記張出部を先端側から直接又は他部材を介して押さえる規制部を備えるとともに前記シリンダを保持する保持部と、
前記シリンダ及び前記保持部に対して相対的に変位する構成をなし、外部からの操作に応じて先端側へと移動する押出部と、
前記筒部内に嵌め込まれ、前記押出部が先端側へ移動することに応じて前記筒部内を先端側へと移動することによって、前記医療用ペーストを前記シリンダの外部へ押し出すピストンと、を備える医療用ペースト注入装置に装着される補強部材であって、
長手状且つ板状に構成され、自身を板厚方向に貫通する孔部に前記医療用ペースト注入装置の前記筒部が挿し通されるとともに、自身の少なくとも一部が先後方向において前記張出部と前記規制部との間に挟まれて配置される板状部と、
前記孔部に前記医療用ペースト注入装置の前記筒部が挿し通された状態において、前記板状部が前記張出部に対して前記軸線周りに回転することを規制する回転規制部と、
を有する医療用ペースト注入装置用補強部材。
【請求項２】
前記回転規制部は、前記板状部における短手方向の一方側の端部から後端側に突出した形態をなす請求項１に記載の医療用ペースト注入装置用補強部材。
【請求項３】
前記回転規制部は、前記板状部の長手方向に沿って延びる形態をなす請求項１又は請求項２に記載の医療用ペースト注入装置用補強部材。
【請求項４】
前記回転規制部は、前記板状部における外縁部の全周にわたって、前記板状部における外縁部から後端側に突出した形態をなす請求項１から請求項３のうちいずれか一項に記載の医療用ペースト注入装置用補強部材。
【請求項５】
前記板状部における前記孔部の内縁部から前記シリンダの前記筒部に沿うようにして先端側に延設された円環状の延設部を備える請求項１から請求項４のうちいずれか一項に記載の医療用ペースト注入装置用補強部材。
【請求項６】
請求項１から請求項５のうちいずれか一項に記載の医療用ペースト注入装置用補強部材が装着された医療用ペースト注入装置。
【発明の詳細な説明】
【技術分野】
【０００１】
本発明は医療用ペースト注入装置用補強部材及び医療用ペースト注入装置に関するものである。
【背景技術】
【０００２】
特許文献１には、医療用ペースト（例えば骨ペースト）を患者の体内に注入するために使用する医療用ペースト注入装置が開示されている。この医療用ペースト注入装置は、シリンダ及びピストンを有する注入器と、シリンダ内のピストンを先端側に押し出す押出器（例えば押出装置）とを備えている。押出器は、シリンダにおける後端側の外周部から上下両側に張り出した張出部の各々の先端側への移動を規制する一対の規制部（例えば支持鍵部）と、一対の規制部に対して先端側へ移動する押出部（例えばシャフト）とを有する。医療用ペースト注入装置は、押出器における一対の規制部によってシリンダの先端側への移動を規制しつつ押出部を前進させることで、ピストンを先端側へ押し出してシリンダ内の医療用ペーストをシリンダの先端側から排出させる構成となっている。
【先行技術文献】
【特許文献】
【０００３】
【特許文献１】特開２００５−２８７７６４号公報
【発明の概要】
【発明が解決しようとする課題】
【０００４】
しかし、特許文献１が開示する医療用ペースト注入装置は、押出部によってシリンダ内の医療用ペーストを押し出す際、一対の規制部が張出部を先端側から押さえているので、張出部に応力がかかり、張出部が破損するおそれがある。
【０００５】
本発明は、上述した課題の少なくとも一つを解決するためになされたものであり、医療用ペーストを押し出す際にシリンダの張出部が破損することを抑制することが可能な技術を提供することを解決すべき課題としている。
【課題を解決するための手段】
【０００６】
第１の発明の医療用ペースト注入装置用補強部材は、
軸線に沿って延びる筒部と、前記筒部における後端側の外周部から外側に向けて張り出した張出部と、を有し、前記筒部内に医療用ペーストが入れられるシリンダと、
前記張出部を先端側から直接又は他部材を介して押さえる規制部を備えるとともに前記シリンダを保持する保持部と、
前記シリンダ及び前記保持部に対して相対的に変位する構成をなし、外部からの操作に応じて先端側へと移動する押出部と、
前記筒部内に嵌め込まれ、前記押出部が先端側へ移動することに応じて前記筒部内を先端側へと移動することによって、前記医療用ペーストを前記シリンダの外部へ押し出すピストンと、を備える医療用ペースト注入装置に装着される補強部材であって、
長手状且つ板状に構成され、自身を板厚方向に貫通する孔部に前記医療用ペースト注入装置の前記筒部が挿し通されるとともに、自身の少なくとも一部が先後方向において前記張出部と前記規制部との間に挟まれて配置される板状部と、
前記孔部に前記医療用ペースト注入装置の前記筒部が挿し通された状態において、前記板状部が前記張出部に対して前記軸線周りに回転することを規制する回転規制部と、
を有する。
【０００７】
この構成によれば、板状部の孔部に医療用ペースト注入装置の筒部が挿し通されるとともに、板状部の少なくとも一部が先後方向において張出部と規制部との間に挟まれて配置される。これにより、張出部は医療用ペースト注入装置用補強部材によって補強されて先後方向に変形しにくくなるので、医療用ペーストが排出される際に破損しにくくなる。
しかも、この構成によれば、孔部に医療用ペースト注入装置の筒部が挿し通された状態において、板状部が張出部に対して軸線周りに回転することが規制される。このため、板状部が張出部に対して回転することによって、板状部が規制部と張出部との間から外れてしまうことを抑制することができる。
【０００８】
上記回転規制部は、板状部における短手方向の一方側の端部から後端側に突出した形態をなすようにしてもよい。
この構成によれば、回転規制部が張出部の外縁部に接触することで板状部が張出部に対して軸線周りに回転することが規制されるので、張出部側に回転規制部を引っ掛ける凹部などを設ける必要がない。
【０００９】
上記回転規制部は、板状部の長手方向に沿って延びる形態をなすようにしてもよい。
この構成によれば、板状部が張出部に対して軸線周りに回転することをより安定的に規制することができ、しかも板状部の剛性を高めることができる。
【００１０】
上記回転規制部は、板状部における外縁部の全周にわたって、板状部における外縁部から後端側に突出した形態をなすようにしてもよい。
この構成によれば、回転規制部が板状部における外縁部の全周にわたって板状部の外縁部から後端側に突出した形態をなしているので、板状部が張出部に対して軸線周りに回転することをより安定的に規制することができ、しかも板状部の剛性を高めることができる。
【００１１】
上記医療用ペースト注入装置用補強部材は、板状部における孔部の内縁部からシリンダの筒部に沿うようにして先端側に延設された円環状の延設部を備えるようにしてもよい。
この構成によれば、板状部における孔部の内縁部からシリンダの筒部に沿うようにして先端側に延設された円環状の延設部が設けられているので、板状部の剛性をより一層高めることができる。
【００１２】
第２の発明の医療用ペースト注入装置は、
第１の発明の医療用ペースト注入装置用補強部材が装着される。
【００１３】
この構成によれば、押出部によってピストンを先端側へ押し出すことで、シリンダ内に充填された医療用ペーストをシリンダの先端側から排出させることができる。
更に、この構成によれば、板状部の孔部に医療用ペースト注入装置の筒部が挿し通されるとともに、板状部の少なくとも一部が先後方向において張出部と規制部との間に挟まれて配置される。これにより、張出部は補強されて先後方向に変形しにくくなるので、医療用ペーストが排出される際に破損しにくくなる。
しかも、この構成によれば、孔部に医療用ペースト注入装置の筒部が挿し通された状態において、板状部が張出部に対して軸線周りに回転することが規制される。このため、板状部が張出部に対して回転することによって、板状部が規制部と張出部との間から外れてしまうことを抑制することができる。
【発明の効果】
【００１４】
本発明によれば、医療用ペーストを押し出す際にシリンダの張出部が破損することを抑制することができる。
【図面の簡単な説明】
【００１５】
【図１】図１は、第１実施形態の医療用ペースト注入装置を例示した側断面図である。
【図２】図２は、第１実施形態の医療用ペースト注入装置の前側部分を例示した斜視図である。
【図３】図３は、第１実施形態の補強部材を例示した斜視図である。
【図４】図４は、第１実施形態の補強部材を例示した平面図である。
【図５】図５は、第１実施形態の補強部材を例示した底面図である。
【図６】図６は、第１実施形態の補強部材を例示した側面図である。
【図７】図７は、第１実施形態の補強部材を例示した背面図である。
【図８】図８は、第２実施形態の補強部材を例示した斜視図である。
【図９】図９は、第２実施形態の補強部材を長手方向中央で切断した切断面を例示した断面図である。
【発明を実施するための形態】
【００１６】
１．第１実施形態
１−１．医療用ペースト注入装置１
図１及び図２には、医療用ペースト注入装置用補強部材７（以下、補強部材７ともいう）が装着された状態の医療用ペースト注入装置１が示されている。この医療用ペースト注入装置１は、医療用ペースト（例えば骨ペースト）を患者の体内に注入するために使用する装置であり、注入器３と、押出器５とを備える。なお、以下では、図１における紙面左側を先端側（医療用ペースト注入装置１の先端側）とし、紙面右側を後端側（医療用ペースト注入装置１の後端側）とし、紙面下側を下方側とし、紙面上側を上方側とし、前後方向及び上下方向と直交する方向を左右方向として説明する。
【００１７】
注入器３は、自身の内部に充填された医療用ペーストを患者の体内に注入する器具であり、シリンダ１０とピストン１２とを有する。
【００１８】
シリンダ１０は、例えば合成樹脂製であり、筒状をなし、軸線ＡＸ方向に沿って延びるように配置される。シリンダ１０は、筒部１４と、ノズル部１６と、張出部１８と、開口部２０とを有する。シリンダ１０は、筒部１４内に医療用ペーストが入れられる。
【００１９】
筒部１４は、内部に医療用ペーストが充填される部分であり、筒状（本実施形態では円筒状）をなしている。筒部１４は、自身の後端側に開口部２０が形成されてなり、軸線ＡＸ方向に沿って延びる形態で配置される。
【００２０】
ノズル部１６は、筒部１４内に充填された医療用ペーストを外部に排出する部分であり、筒部１４の先端側に設けられ、筒部１４よりも内径が小さく形成されている。
【００２１】
張出部１８は、筒部１４における後端側の外周部から外側に向けて張り出した形態をなしている。張出部１８は、軸線ＡＸと直交する所定方向（以下、第１方向ともいう。）の一方側に張り出した第１張出部１８Ａと、第１方向の他方側に張り出した第２張出部１８Ｂとを有する。張出部１８は、軸線ＡＸ及び第１方向と直交する第２方向の一方側及び他方側の両側にも張り出している。張出部１８の第２方向への最大張出寸法は、張出部１８の第１方向への最大張出寸法よりも短い。張出部１８は、第１方向に長く第２方向に短いフランジ状をなしている。即ち、第１張出部１８Ａと第２張出部１８Ｂは互いに連結されている。第１張出部１８Ａ及び第２張出部１８Ｂの各々は、第２方向中央部が第１方向外側に向けて張り出した弧状をなしている。張出部１８における第２方向の両端部の各々は、第１方向に沿って直線状に延びる形態をなしている。張出部１８は、第１方向の最も長い部分の長さ（即ち、第１方向における第２方向中央部の長さ）が後述する第１規制部４６Ａ及び第２規制部４６Ｂの間の隙間の間隔よりも長く、第２方向の長さが第１規制部４６Ａ及び第２規制部４６Ｂの間の隙間の間隔よりも短く形成されている。
【００２２】
開口部２０は、シリンダ１０（より具体的には、筒部１４）の後端側に設けられている。
【００２３】
ピストン１２は、例えばゴム製であり、開口部２０を介して筒部１４内に嵌め込まれ、押出部３２が先端側へ移動することに応じて筒部１４内を先端側へ移動することによって、医療用ペーストをシリンダ１０の外部へ押し出す部材である。ピストン１２は、筒部１４内を先端側へと移動可能に配置される。
【００２４】
押出器５は、ピストン１２を先端側へ押し出すことで、注入器３の内部に充填された医療用ペーストをノズル部１６から排出させる器具である。押出器５は、ベース部３０と、押出部３２と、操作部３４と、伝達部３６と、ロック部３８とを有する。
【００２５】
ベース部３０は、例えば合成樹脂製であり、注入器３のシリンダ１０を保持するとともに押出部３２を支持する部分である。ベース部３０は、押出部支持部４０と、保持部４２と、グリップ部４４とを有する。
【００２６】
押出部支持部４０は、押出部３２を支持する部分であり、軸線ＡＸに沿ってベース部３０を前後に貫通した形態をなす貫通孔部４１が設けられている。押出部支持部４０は、貫通孔部４１内に挿し通された押出部３２を軸線ＡＸに沿って移動可能に支持する。
【００２７】
保持部４２は、注入器３のシリンダ１０を保持する部分であり、押出部支持部４０の先端側に設けられている。保持部４２は、規制部４６と、連結部４８とを有する。
【００２８】
規制部４６は、張出部１８の先端側への移動を規制する部分である。規制部４６は、ピストン１２が医療用ペーストをシリンダ１０の外部へ押し出す際に、張出部１８を先端側から直接又は他部材を介して押さえる。規制部４６は、第１規制部４６Ａと、第２規制部４６Ｂとを有する。
【００２９】
第１規制部４６Ａは、第１張出部１８Ａの先端側に配置されるとともに第１張出部１８Ａが先端側に移動することを規制する部分（即ち、第１張出部１８Ａを先端側から直接又は他部材を介して押さえる部分）である。第２規制部４６Ｂは、第２張出部１８Ｂの先端側に配置されるとともに第２張出部１８Ｂが先端側に移動することを規制する部分（即ち、第２張出部１８Ｂを先端側から直接又は他部材を介して押さえる部分）である。第１規制部４６Ａ及び第２規制部４６Ｂは、軸線ＡＸ方向と直交する方向（本実施形態では、上下方向）から筒部１４を挟む位置関係で互いに間隔をあけて配置される。第１規制部４６Ａは、自身の後端側に第１張出部１８Ａを収容する空間が形成されており、第２規制部４６Ｂは、自身の後端側に第２張出部１８Ｂを収容する空間が形成されている。第１規制部４６Ａの後端側に形成された空間及び第２規制部４６Ｂの後端側に形成された空間は、軸線ＡＸの径方向内側に開放しているとともに、軸線ＡＸ方向と直交する平面方向における第１規制部４６Ａ及び第２規制部４６Ｂの並び方向と直交する方向に開放している。第１規制部４６Ａの後端側に配置された第１張出部１８Ａは、第１規制部４６Ａによって先端側への移動が規制され、第２規制部４６Ｂの後端側に配置された第２張出部１８Ｂは、第２規制部４６Ｂによって先端側への移動が規制される。
【００３０】
連結部４８は、規制部４６（具体的には、第１規制部４６Ａ及び第２規制部４６Ｂの各々）と押出部支持部４０とを連結する部分であり、張出部１８が収容される空間を迂回するように、規制部４６における軸線ＡＸの径方向外側の部分から後端側に延びて押出部支持部４０の先端部に連結される。
【００３１】
グリップ部４４は、押出部支持部４０から下方側に延びた形態をなしている。
【００３２】
押出部３２は、シリンダ１０及び保持部４２に対して相対的に変位する構成をなし、外部からの操作に応じて先端側へと移動する部分である。押出部３２は、押出部支持部４０の貫通孔部４１内において軸線ＡＸに沿って延びる形態で配置され、押出部支持部４０によって軸線ＡＸに沿って移動可能に支持される。押出部３２は、軸部５０と、押出面部５２とを有する。軸部５０は、例えば金属製であり、軸線ＡＸに沿って延びる棒状をなしている。押出面部５２は、例えば合成樹脂製であり、軸部５０の先端側に設けられており、外径が軸部５０の外径よりも大きく形成されている。押出面部５２は、外径がシリンダ１０における筒部１４の内径と略同じか、筒部１４の内径よりも少し小さく形成されている。押出部３２は、両端部の外径が貫通孔部４１の内径よりも大きく形成されており、両端部が押出部支持部４０に接触して前後方向への移動が規制されることで貫通孔部４１から抜けることが防止されている。押出部３２は最も後端側へ移動した状態（即ち、押出部３２の先端が押出部支持部４０に接触して後端側への移動が規制されている状態）では、先端が規制部４６の後端よりも先端側に配置される。
【００３３】
操作部３４は、押出部３２を先端側へ移動させるためにユーザが操作する部分であり、例えば金属製であり、レバー状をなしている。操作部３４は、グリップ部４４よりも先端側に配置され、左右方向に延びる回動軸部５４を介してベース部３０（具体的にはグリップ部４４の上側）に対して回動可能に連結されている。
【００３４】
伝達部３６は、操作部３４に加えられた操作力を押出部３２に伝達するリンク機構として構成されている。ロック部３８は、押出部３２の後端側への移動を規制する部分である。押出器５は、操作部３４が操作されるごとに（具体的には、グリップ部４４と操作部３４が互いに近付くように握る操作が行われるごとに）、伝達部３６およびロック部３８の作用によって、押出部３２を所定距離ずつ先端側に移動させる。また、所定のロック解除操作（本実施形態では、操作部３４をグリップ部４４から離れる方向に回動させる操作）が行われることで、ロック部３８によるロックが解除され、押出部３２の後端側への移動が許容される。なお、伝達部３６およびロック部３８は、公知の構成を採用することができ、例えば特開２００５−２８７７６４号公報の第３実施形態の段落［００４０］〜［００４２］に記載の構成と同様の構成とすることができる。
【００３５】
１−２．医療用ペーストの注入
ユーザは、注入器３を押出器５に装着する前の段階で、開口部２０からシリンダ１０内に医療用ペーストを充填し、開口部２０から筒部１４内にピストン１２を嵌め込む。そして、ユーザは、筒部１４の内部に押出器５の押出部３２を入り込ませつつ、張出部１８が規制部４６と干渉しないように第２方向が第１規制部４６Ａ及び第２規制部４６Ｂの並び方向に沿う姿勢で第１規制部４６Ａ及び第２規制部４６Ｂの間の隙間にシリンダ１０の筒部１４を挿し通し、張出部１８を規制部４６よりも後端側に移動させる。そして、ユーザは、シリンダ１０を軸線ＡＸ周りに９０°回転させる。これにより、第１張出部１８Ａは、第１規制部４６Ａの後端側に配置され、先端側への移動が第１規制部４６Ａによって規制され、第２張出部１８Ｂは、第２規制部４６Ｂの後端側に配置され、先端側への移動が第２規制部４６Ｂによって規制される。張出部１８の先端側への移動が規制された状態において、操作部３４が操作され、押出部３２がベース部３０（即ち、シリンダ１０及び規制部４６）に対して先端側へ移動することによって、シリンダ１０の前後方向への移動可能スペースが減少し、第１張出部１８Ａの前面が第１規制部４６Ａの後面に対して押し付けられ、第２張出部１８Ｂの前面が第２規制部４６Ｂの後面に対して押し付けられた状態となる。即ち、規制部４６（具体的には、第１規制部４６Ａ及び第２規制部４６Ｂの各々）が、張出部１８（具体的には、第１張出部１８Ａ及び第２張出部１８Ｂの各々）を先端側から押さえる状態となる。これにより、注入器３の押出器５に対する装着が完了する。
【００３６】
ユーザは、注入器３を押出器５に装着した後、さらに操作部３４を操作すると、押出器５の押出部３２に押されたピストン１２がシリンダ１０に対して先端側へ移動し、先端側へ移動するピストン１２が筒部１４内の医療用ペーストをノズル部１６から排出される。ユーザは、操作部３４を操作するごとに押出部３２を所定距離ずつ先端側へ移動させることができるので、操作部３４を操作するごとに医療用ペーストを所定量ずつ排出させることができる。
【００３７】
この医療用ペースト注入装置１は、医療用ペーストを排出させる際、ピストン１２に対して先端側への移動力が付与されるので、ピストン１２との摩擦力によってシリンダ１０にも先端側への移動力が付与される。但し、シリンダ１０は、張出部１８の前方への移動を規制部４６によって規制することで、先端側への移動が規制されている。しかし、この構成では、張出部１８における筒部１４との連結部分に応力がかかり、張出部１８が破損するおそれがある。そこで、この医療用ペースト注入装置１は、張出部１８の破損を抑制するために、補強部材７が装着される。
【００３８】
１−３．補強部材７
補強部材７は、医療用ペースト注入装置１に装着されることによってシリンダ１０の張出部１８を補強する部材であり、例えば金属製である。補強部材７は、図３〜図７に示すように、板状部６０と、回転規制部６２と、延設部６４とを有する。補強部材７は、例えば金属板が打ち抜き加工されることで板状部６０が形成され、折り曲げ加工や溶接等によって回転規制部６２が形成され、溶接等によって延設部６４が形成される。
【００３９】
板状部６０は、長手状且つ板状に構成され、自身を板厚方向に貫通する孔部６６に医療用ペースト注入装置１の筒部１４が挿し通されるとともに、自身の少なくとも一部が先後方向において張出部１８と規制部４６との間に挟まれて配置される部分である。板状部６０における長手方向の両端部の各々は、短手方向中央部が長手方向外側に張り出した弧状をなしている。板状部６０における短手方向の両端部の各々は、長手方向に沿って直線状に延びる形態をなしている。板状部６０は、長手方向の最も長い部分の長さが第１規制部４６Ａ及び第２規制部４６Ｂの間の隙間の間隔よりも長く、短手方向の長さが第１規制部４６Ａ及び第２規制部４６Ｂの間の隙間の間隔よりも短く形成されている。板状部６０は、外縁部の形状が張出部１８の外縁部の形状と略同じである。
【００４０】
板状部６０は、自身の長手方向の一方側に設けられた第１部位６０Ａと、自身の長手方向の他方側に設けられた第２部位６０Ｂとを有する。板状部６０は、孔部６６にシリンダ１０の筒部１４が挿し通され、規制部４６と干渉しないように自身の短手方向が第１規制部４６Ａ及び第２規制部４６Ｂの並び方向に沿う姿勢で第１規制部４６Ａ及び第２規制部４６Ｂの間の隙間を通過し、規制部４６よりも後端側に配置される。そして、板状部６０は、張出部１８とともに軸線ＡＸ周りに９０°回転し、第１部位６０Ａが第１張出部１８Ａと第１規制部４６Ａとによって先後方向に挟まれ、第２部位６０Ｂが第２張出部１８Ｂと第２規制部４６Ｂとによって先後方向に挟まれた状態で配置される。
【００４１】
回転規制部６２は、孔部６６に医療用ペースト注入装置１の筒部１４が挿し通された状態において、板状部６０が張出部１８に対して軸線ＡＸ周りに回転することを規制する部分である。回転規制部６２は、板状部６０における短手方向の一方側の端部から後端側に突出した形態をなしている。また、回転規制部６２は、板状部６０の長手方向に沿って延びる形態をなしている。より具体的には、回転規制部６２は、板状部６０における短手方向の一方側の端部から後端側に突出して板状部６０の長手方向に沿って延びる形態をなしている。回転規制部６２は、板状部６０の長手方向において、板状部６０の長手方向の両端部に設けられた弧状の部分よりも内側に設けられている。回転規制部６２は、板状部６０の後端面を基準とした後端側への突出寸法は、張出部１８の厚さよりも長く形成されている。
【００４２】
回転規制部６２は、板状部６０の孔部６６にシリンダ１０の筒部１４が挿し通されて、板状部６０の長手方向が張出部１８の第１方向に沿う姿勢で板状部６０が張出部１８と前後に重なった状態（具体的には、第１部位６０Ａが第１張出部１８Ａと前後に重なり、第２部位６０Ｂが第２張出部１８Ｂと前後に重なった状態）において、張出部１８の第２方向の一方側の端部の外側に配置されるとともに、張出部１８の第２方向の一方側の端部に沿って第１方向に延びる形態で配置される。このため、補強部材７が軸線ＡＸ周りに回転しようとしても、回転規制部６２の内側面が張出部１８の外縁部に接触して、回転が規制される。即ち、回転規制部６２は、第１部位６０Ａ及び第２部位６０Ｂが前後に挟まれた状態において、板状部６０が張出部１８に対して回転することを規制する。
【００４３】
延設部６４は、板状部６０における孔部６６の内縁部からシリンダ１０の筒部１４に沿うようにして先端側に延設された部分である。延設部６４は、円環状をなしており、内側にシリンダ１０の筒部１４が挿し通される。延設部６４は、板状部６０の先端面を基準とした先端側への突出寸法が、回転規制部６２の板状部６０における後端面を基準とした後端側への突出寸法よりも長く形成されている。
【００４４】
１−４．第１実施形態の作用および効果
第１実施形態の補強部材７は、板状部６０の孔部に医療用ペースト注入装置１の筒部１４が挿し通されるとともに、板状部６０の少なくとも一部が先後方向において張出部１８と規制部４６との間に挟まれて配置される。これにより、張出部１８は補強されて先後方向に変形しにくくなるので、医療用ペーストが排出される際に破損しにくくなる。
しかも、この構成によれば、孔部６６に医療用ペースト注入装置１の筒部１４が挿し通された状態において、板状部６０が張出部１８に対して軸線ＡＸ周りに回転することが規制される。このため、板状部６０が張出部１８に対して回転することによって、板状部６０が規制部４６と張出部１８との間から外れてしまうことを抑制することができる。
【００４５】
更に、回転規制部６２は、板状部６０における短手方向の一方側の端部から後端側に突出した形態をなしている。
この構成によれば、回転規制部６２が張出部１８の外縁部に接触することで板状部６０が張出部１８に対して軸線ＡＸ周りに回転することが規制されるので、張出部１８側に回転規制部６２を引っ掛ける凹部などを設ける必要がない。
【００４６】
更に、回転規制部６２は、板状部６０の長手方向に沿って延びる形態をなしている。
この構成によれば、板状部６０が張出部１８に対して軸線ＡＸ周りに回転することをより安定的に規制することができ、しかも板状部６０の剛性を高めることができる。
【００４７】
更に、回転規制部６２は、板状部６０における外縁部の全周にわたって、板状部６０における外縁部から後端側に突出した形態をなしている。
この構成によれば、回転規制部６２が板状部６０における外縁部の全周にわたって板状部６０の外縁部から後端側に突出した形態をなしているので、板状部６０が張出部１８に対して軸線ＡＸ周りに回転することをより安定的に規制することができ、しかも板状部６０の剛性を高めることができる。
【００４８】
更に、補強部材７は、板状部６０における孔部６６の内縁部からシリンダ１０の筒部１４に沿うようにして先端側に延設された円環状の延設部６４を備えている。
この構成によれば、板状部６０における孔部６６の内縁部からシリンダ１０の筒部１４に沿うようにして先端側に延設された円環状の延設部６４が設けられているので、板状部６０の剛性をより一層高めることができる。
【００４９】
第１実施形態の医療用ペースト注入装置１は、補強部材７が装着される。
【００５０】
この構成によれば、押出部３２によってピストン１２を先端側へ押し出すことで、シリンダ１０内に充填された医療用ペーストをシリンダ１０の先端側から排出させることができる。
更に、板状部６０の孔部に医療用ペースト注入装置１の筒部１４が挿し通されるとともに、板状部６０の少なくとも一部が先後方向において張出部１８と規制部４６との間に挟まれて配置される。これにより、張出部１８は補強されて先後方向に変形しにくくなるので、医療用ペーストが排出される際に破損しにくくなる。
しかも、この構成によれば、孔部６６に医療用ペースト注入装置１の筒部１４が挿し通された状態において、板状部６０が張出部１８に対して軸線ＡＸ周りに回転することが規制される。このため、板状部６０が張出部１８に対して回転することによって、板状部６０が規制部４６と張出部１８との間から外れてしまうことを抑制することができる。
【００５１】
２．第２実施形態
第２実施形態の医療用ペースト注入装置用補強部材２０７（以下、補強部材２０７ともいう）は、回転規制部２６２が板状部６０における外縁部の全周にわたって形成されている点で、第１実施形態の補強部材７と異なり、その他の構成は第１実施形態の補強部材７と同じである。なお、第１実施形態の補強部材７と同様の構成、作用、及び効果については説明を省略し、主に異なる部分について説明する。
【００５２】
補強部材２０７は、図８及び図９に示すように、板状部６０および延設部６４を有しており、更に第１実施形態の補強部材７における回転規制部６２に代えて、回転規制部２６２を有する。回転規制部２６２は、板状部６０における外縁部の全周にわたって、板状部６０における外縁部から後端側に突出した形態をなしている。即ち、回転規制部２６２における長手方向の両端部の各々は、短手方向中央部が長手方向外側に張り出した弧状をなしている。回転規制部２６２における短手方向の両端部の各々は、長手方向に沿って直線状に延びている。回転規制部２６２は、板状部６０の孔部６６にシリンダ１０の筒部１４が挿し通されて、板状部６０の長手方向が張出部１８の第１方向に沿う姿勢で板状部６０が張出部１８と前後に重なった状態において、張出部１８の外縁部に沿って配置されるとともに、張出部１８の外周を囲むように配置される。
【００５３】
この構成によれば、回転規制部２６２が板状部６０における外縁部の全周にわたって板状部６０の外縁部から後端側に突出した形態をなしているので、板状部６０が張出部１８に対して軸線ＡＸ周りに回転することをより安定的に規制することができ、しかも板状部６０の剛性を高めることができる。
【００５４】
＜他の実施形態＞
本発明は上記記述及び図面によって説明した実施形態に限定されるものではなく、例えば次のような実施形態も本発明の技術的範囲に含まれる。また、上述した実施形態や後述する実施形態の様々な特徴は、矛盾しない組み合わせであればどのように組み合わせてもよい。
【００５５】
第１実施形態および第２実施形態では、回転規制部６２，２６２は、板状部６０の外縁部から後端側に突出する形態とし、板状部６０の外縁部に接触することで軸線ＡＸ周りの回転を規制する構成としたが、別の構成としてもよい。例えば、回転規制部を板状部６０の内縁側から後端側に突出した形態とし、張出部１８に回転規制部が嵌り込む凹部や溝部を形成するようにしてもよい。この構成によれば、回転規制部が張出部１８に形成された凹部や溝部に嵌まり込むことで、軸線ＡＸ周りの回転を規制することができる。
【符号の説明】
【００５６】
１…医療用ペースト注入装置
７，２０７…医療用ペースト注入装置用補強部材
１０…シリンダ
１２…ピストン
１４…筒部
１８…張出部
１８Ａ…第１張出部
１８Ｂ…第２張出部
３２…押出部
４２…保持部
４６…規制部
４６Ａ…第１規制部
４６Ｂ…第２規制部
６０…板状部
６０Ａ…第１部位
６０Ｂ…第２部位
６２，２６２…回転規制部
６４…延設部
６６…孔部
ＡＸ…軸線
【図１】
2020182634.tif 000003
【図２】
2020182634.tif 000004
【図３】
2020182634.tif 000005
【図４】
2020182634.tif 000006
【図５】
2020182634.tif 000007
【図６】
2020182634.tif 000008
【図７】
2020182634.tif 000009
【図８】
2020182634.tif 000010
【図９】
2020182634.tif 000011